(57)【要約】【課題】本発明は縁石併用型防護柵の支柱基礎ブロックに関し、歩車道境界に縁石が用いられている場所にて歩行者、自転車が路外や車道に転落するのを防止をしたり、車路での横断防止等のため、歩行者自転車用柵のような防護柵の支柱を立設するのと、縁石として歩車道境界ブロックを併用するのに施工性が良く、安全管理に優れ、低コストで構築する。【解決手段】断面上方に配設される歩車道境界ブロック部１Ｂと、その下方に配設される基礎部１Ａとにより基礎ブロック本体１が構成され、基礎ブロック本体の上面には防護柵２の支柱３が挿入可能になる支柱挿入孔４が設けられ、基礎ブロック本体の車道側Ｒに臨む前面下方に垂直面部５が形成され、基礎ブロック本体の後面他側には少なくとも歩車道境界ブロック部の高さｈ１を除いた下半部に、控側基礎突出部６が形成されている。【選択図】図１
2013040467.tif 000002
【特許請求の範囲】
【請求項１】
断面上方に配設される歩車道境界ブロック部と、該歩車道境界ブロック部の下方に配設される基礎部とによりコンクリートよりなる基礎ブロック本体が構成され、
前記基礎ブロック本体の上面には防護柵の支柱が挿入可能になる支柱挿入孔が設けられるとともに、
前記基礎ブロック本体の車道側に臨む前面下方に垂直面部が形成され、
前記基礎ブロック本体の後面他側には少なくとも前記歩車道境界ブロック部の高さを除いた下半部に、控側基礎突出部が水平方向に段差を付けて形成されている
ことを特徴とする縁石併用型防護柵の支柱基礎ブロック。
【請求項２】
前記基礎ブロック本体の左右の側面には、歩車道境界ブロックの端部が載置可能に前記控側基礎突出部と略同高さの載架部が突設されていることを特徴とする請求項１に記載の縁石併用型防護柵の支柱基礎ブロック。
【請求項３】
前記基礎ブロック本体の左右の側面には、前記歩車道境界ブロックの端面が目地間隙を介して衝合わせ可能になる垂直側壁部が設けられていることを特徴とする請求項１に記載の縁石併用型防護柵の支柱基礎ブロック。
【請求項４】
前記基礎ブロック本体が、前記歩車道境界ブロックの長さの略１／２以上〜最長長さのものより僅かに短い長さに形成されていることを特徴とする請求項１−３の何れかに記載の縁石併用型防護柵の支柱基礎ブロック。
【請求項５】
前記基礎ブロック本体には、吊具が取付可能なインサートが設けられていることを特徴とする請求項１−４の何れかに記載の縁石併用型防護柵の支柱基礎ブロック。
【発明の詳細な説明】
【技術分野】
【０００１】
本発明は縁石併用型防護柵の支柱基礎ブロックに関し、特に道路および交通の状況を踏まえ、路側または歩車道境界に縁石が用いられている場所において歩行者または自転車が路外または車道に転落するのを防止したり、または車路における横断防止等のために、必要に応じて歩行者自転車用柵のような防護柵の支柱を立設するのと、縁石として歩車道境界ブロックを併用するのに工期が短く施工性に優れ、しかも、片側通行による車両規制を必要とすることなく、安全管理が良好であり、低コストで構築できる等の経済性が優れたものにする。
【背景技術】
【０００２】
従来、道路のガード・レールのような防護柵、または標識の支柱を設置するためのプレキャスト型のコンクリートブロックは、プレキャストブロック基礎の箱抜き部の上部をプレキャストブロック基礎のコンクリートと一体に打設し、支柱を立設時に上部コンクリートの取り壊しを行い、前記箱抜き部内に支柱を挿入してセメントモルタルにより固定して防護柵、または標識の支柱を立設する構造のものがあった（例えば特許文献１参照）。
【先行技術文献】
【特許文献】
【０００３】
【特許文献１】特開２００１−２９５２９９号公報
【発明の概要】
【発明が解決しようとする課題】
【０００４】
しかしながら、特許文献１に記載された上記従来のプレキャスト型のコンクリートブロックは、歩車道の境界を区別するために、敷設される縁石の設置面の後面、すなわち、歩道側にプレキャストブロック基礎の箱抜き部を設置する構造であり、縁石間にプレキャストブロック基礎を設置するものではないので、特に交通量が激しく、狭い面積しか確保しにくい都市部において歩車道に使用される土地の有効活用をはかるためには、不向きであった。
【０００５】
しかも、特許文献１に記載された上記従来のプレキャスト型のコンクリートブロックは、例えば防護柵を構築するために、支柱を立設するのにプレキャストブロック基礎を一定ピッチ毎に所望場所に設置するのと、縁石の敷設作業とは個別の設置作業により行われるので、多くの時間および手間がかかり、施工性が悪かった。
【０００６】
すなわち、特許文献１に記載の上記従来のプレキャスト型のコンクリートブロックは、防護柵、標識の支柱を立設するのに、前述のように上部コンクリートの取り壊しを行い、防護柵、標識の支柱を立設する構造なので、施工には上部コンクリートの取り壊し作業、そしてプレキャストブロック基礎の箱抜き部への支柱の挿入、支柱の位置決め作業、支柱の固定作業等、多くの工程を必要とするから、多くの時間、労力が必要になっていた。そして、これらの工事を施工するのには、片側通行のような車両規制を行わなければならないので、施工性が良くなく、工期も長期化し、工事費も高価になっていた。そのうえ、上部コンクリートの取り壊し作業を必要とし、コンクリートガラのような産業廃棄物を生ずるため、その処理には、多くの労力と費用とを必要としていた。
【０００７】
さらに、特許文献１に記載の上記従来のプレキャスト型のコンクリートブロックは、縁石が、プレキャストブロック基礎の箱抜き部の前面上部に、地中の切り欠き部に止石基礎を介して設置されるので、敷設にはプレキャストブロック基礎は街きょや側溝のような道路付帯のコンクリート構造物に対する敷設個所に制約を受けることになり、車道にコンクリート構造物が敷設されている場合には、コンクリート構造物を取り壊わしてまでも、縁石、およびプレキャストブロック基礎を設置する訳にはいかないという制約があった。
【０００８】
そして、特許文献１に記載の上記従来のプレキャスト型のコンクリートブロックでは、
歩車道の境界のための縁石が前記止石基礎の上にセメントモルタルのような接着剤により固定されて並設されるので、縁石の敷設には隣接する相互が上下方向、および前後方向、左右方向に位置決めが行われなければ、構築後の外観的体裁が不揃いになり、不体裁であった。この位置決めには熟練した技術を必要とし、敷設には多くの時間および労力がかかり、施工性を悪いものにしていた。
【０００９】
本発明は上記従来の問題を解決し、土地の有効活用をするのに適し、施工性に優れ、工期は短縮され、工事費を低廉になす縁石併用型防護柵の支柱基礎ブロックを提供することを目的とする。
【課題を解決するための手段】
【００１０】
本発明の請求項１に記載の発明は、断面上方に配設される歩車道境界ブロック部と、該歩車道境界ブロック部の下方に配設される基礎部とによりコンクリートよりなる基礎ブロック本体が構成され、
前記基礎ブロック本体の上面には防護柵の支柱が挿入可能になる支柱挿入孔が設けられるとともに、
前記基礎ブロック本体の車道側に臨む前面下方に垂直面部が形成され、
前記基礎ブロック本体の後面他側には少なくとも前記歩車道境界ブロック部の高さを除いた下半部に、控側基礎突出部が水平方向に段差を付けて形成されている
ことを特徴とする。
【００１１】
また、本発明の請求項２に記載の発明は、請求項１において、前記基礎ブロック本体の左右の側面には、歩車道境界ブロックの端部が載置可能に前記控側基礎突出部と略同高さの載架部が突設されていることを特徴とする。
【００１２】
また、本発明の請求項３に記載の発明は、請求項１において、前記基礎ブロック本体の左右の側面には、前記歩車道境界ブロックの端面が目地間隙を介して衝合わせ可能になる垂直側壁部が設けられていることを特徴とする。
【００１３】
また、本発明の請求項４に記載の発明は、請求項１−３の何れかにおいて、前記基礎ブロック本体が、前記歩車道境界ブロックの長さの略１／２以上〜最長長さのものより僅かに短い長さに形成されていることを特徴とする。
【００１４】
また、本発明の請求項５に記載の発明は、請求項１−４の何れかにおいて、前記基礎ブロック本体には、吊具が取付可能なインサートが設けられていることを特徴とする。
【発明の効果】
【００１５】
本発明の請求項１に記載された発明によれば、断面上方に配設される歩車道境界ブロック部と、該歩車道境界ブロック部の下方に配設される基礎部とによりコンクリートよりなる基礎ブロック本体が構成され、前記基礎ブロック本体の上面には防護柵の支柱が挿入可能になる支柱挿入孔が設けられるとともに、前記基礎ブロック本体の車道側に臨む前面下方に垂直面部が形成され、前記基礎ブロック本体の後面他側には少なくとも前記歩車道境界ブロック部の高さを除いた下半部に、控側基礎突出部が水平方向に段差を付けて形成されているので、防護柵のような支柱を立設するのには、新設工事の場合には先ず、歩車道境界個所に床堀を施す。また、歩車道境界個所に既に歩車道境界ブロックが敷設されている既設工事の場合には、先ず支柱を立てようとする所望ピッチ個所に相当する歩車道境界ブロックを撤去する。次いで、基礎ブロック本体を運搬し、所望の設置個所に据え付ける。この際、現場状況に応じて、基礎ブロック本体の下面には、基礎材や敷モルタルを敷設する。そして、新設工事の場合には、基礎ブロック本体の左右に歩車道境界ブロックを上下方向、前後方向および左右方向を調整することにより設置する。既設工事の場合には、既設の左右の歩車道境界ブロックの上面よりも床堀深さを深くし、前述の基礎材や敷モルタルを敷くことにより、基礎ブロック本体の歩車道境界ブロック部の上面と、基礎ブロック本体の左右に設置される歩車道境界ブロックとの天面とを一致させて上下方向の高さを調整するほか、前後方向および左右方向の据付位置を調整する。この時、基礎ブロック本体の車道側の前面に既に側溝のような排水設備や街きょのような構造物がある場合に、基礎ブロック本体の車道側に臨む前面下方は、垂直面部が形成され、基礎ブロック本体が突出して邪魔にはならないので、敷設時に基礎ブロック本体は、前記構造物に制約を受けて邪魔にならずに、設置することができるとともに、同時に歩車道境界ブロック部を歩車道境界ブロックと並設して設置することができる。その後、床堀個所の埋め戻しを行い、その上面を基礎材および敷モルタルにより高さ調整される。そして、基礎ブロック本体の歩車道境界ブロック部と、隣接する歩車道境界ブロックとの間の目地間隙をセメントモルタルのような目地材を、充填し、固定する。さらに、基礎ブロック本体の上面に設けられた支柱挿入孔内に支柱を挿入し、セメントモルタルのような接着剤を充填、固定し、支柱を立設し、防護柵を造作する。このようにして、支柱の立設作業を終え、片側通行による車両規制期間を短縮し、施工性は向上し、工期は短くなり、工事費は低コストになるとともに、歩車道境界ブロック部に支柱は立設されるから交通量が激しく、狭い面積しか確保しにくい都市部において歩車道に使用される土地の有効活用がはかれる。また、前記基礎ブロック本体の後面他側には少なくとも前記歩車道境界ブロック部の高さを除いた下半部に、控側基礎突出部が水平方向に段差を付けて形成されているので、控側基礎突出部が後面側に突出されることにより、施工後には、基礎ブロック本体は、構造的に安定に設置される。そして、自動車が衝突する等の大きな衝撃力が支柱に加わったとしても基礎ブロック本体は傾倒し難く、不陸を生じない。
【００１６】
また、本発明の請求項２に記載の発明によれば、請求項１において、前記基礎ブロック本体の左右の側面には、歩車道境界ブロックの端部が載置可能に前記控側基礎突出部と略同高さの載架部が突設されているので、防護柵のような支柱を立設するのに、歩車道境界個所に施された床堀に運搬されて据付けられた基礎ブロック本体の左右に突設された載架部に歩車道境界ブロックを載置するだけの簡単な取り扱いで、歩車道境界ブロック部と歩車道境界ブロックとを上下方向、前後方向および左右方向に据え付け位置を相互に調整して一致させ、設置することができる。このため、敷設後の外観的な不揃いによる敷設後の不体裁はなくなる。
【００１７】
また、本発明の請求項３に記載の発明によれば、請求項１において、前記基礎ブロック本体の左右の側面には、前記歩車道境界ブロックの端面が目地間隙を介して衝合わせ可能になる垂直側壁部が設けられているので、防護柵のような支柱を立設するのに、歩車道境界個所に既に歩車道境界ブロックが敷設されている既設工事の場合には、所望ピッチ個所に相当する既設の歩車道境界ブロックを撤去し、歩車道境界個所に施された床堀に据付けられた基礎ブロック本体の左右の側面に設けている垂直側壁部と、この垂直側壁部に衝合わせられる歩車道境界ブロックの端面との間の目地間隙に目地材を充填、固化して歩車道境界ブロック部と、歩車道境界ブロックとは接続される。
【００１８】
また、本発明の請求項４に記載の発明によれば、請求項１−３の何れかにおいて、前記基礎ブロック本体が、前記歩車道境界ブロックの長さの略１／２以上〜最長長さのものより僅かに短い長さに形成されているので、防護柵のような支柱を立設するのには、新設工事の場合には、歩車道境界個所に施された床堀、また、歩車道境界ブロックが既に敷設されている既設工事の場合には、所望ピッチ個所に相当する歩車道境界ブロックを撤去して基礎ブロック本体を設置個所に据え付ける。そして、新設工事の場合には、基礎ブロック本体の左右に歩車道境界ブロックを上下方向、前後方向および左右方向を調整することにより設置し、また、既設工事の場合には、基礎ブロック本体の歩車道境界ブロック部の上面と、基礎ブロック本体の左右に設置される歩車道境界ブロックとの天面とを一致させて上下方向を調整するほか、前後方向および左右方向に据え付け位置を調整して歩車道境界ブロック部を歩車道境界ブロックに並設して歩車道境界ブロック部を歩車道境界ブロックの所望ピッチにて設置することができる。その後、基礎ブロック本体の上面に設けられた支柱挿入孔内に支柱を挿入し、セメントモルタルのような接着剤を充填、固定し、支柱を立設し、防護柵を造作する。
【００１９】
また、本発明の請求項５に記載の発明によれば、請求項１−４の何れかにおいて、前記基礎ブロック本体には、吊具が取付可能なインサートが設けられているので、新設工事や既設工事の場合に床堀された所望の設置個所にコンクリートよりなる基礎ブロック本体を運搬したり、撤去するのに、アイボルトやフックのような吊具をインサートに着脱可能に取付後に、鎖やワイヤロープのような索状体を用いて容易かつ確実に吊上、移動される。
【図面の簡単な説明】
【００２０】
【図１】本発明の縁石併用型防護柵の支柱基礎ブロックの実施形態１を示す施工状態の断面図である。
【図２】図２は同じく施工時に床堀をした正面図である。
【図３】図３は同じく床堀個所に基礎ブロック本体を設置し、据付けた状態の断面図である。
【図４】図４は同じく図３の拡大断面図である。
【図５】図５は同じく基礎ブロック本体の左右の載架部に歩車道境界ブロックを据付ける状態の断面図である。
【図６】図６は同じく基礎ブロック本体の左右の載架部に歩車道境界ブロックを据付けた状態の断面図である
【図７】図７は同じく本実施形態１で使用する吊具を示す拡大断面図である。
【図８】図８は同じく基礎ブロック本体の支柱挿入孔に支柱を挿入、固定するとともに、歩車道境界ブロック部に歩車道境界ブロックを接続した状態の断面図である。
【図９】図９は同じく本実施形態１を構成する基礎ブロック本体を示す正面図である。
【図１０】図１０は同じく斜視図である。
【図１１】図１１は同じく平面図である。
【図１２】図１２は同じく側面図である。
【図１３】図１３は同じく本実施形態１を構成する歩車道境界ブロックの一例を示す正面図である。
【図１４】図１４は同じく本実施形態１を構成する歩車道境界ブロックの他例を示す正面図である。
【図１５】図１５は同じく本実施形態１を構成する歩車道境界ブロックのさらに他例を示す正面図である。
【図１６】図１６は本発明の縁石併用型防護柵の支柱基礎ブロックの実施形態２を示し、既設の歩車道境界ブロックを撤去した後に床堀個所に基礎ブロック本体を据付ける状態の断面図である。
【図１７】図１７は同じく床堀個所に基礎ブロック本体を据付けた状態の断面図である。
【図１８】図１８は同じく基礎ブロック本体の支柱挿入孔に支柱を挿入固定するとともに、歩車道境界ブロック部に歩車道境界ブロック部を接続した状態の断面図である。
【図１９】図１９は同じく本実施形態２を構成する基礎ブロック本体を示す正面図である。
【図２０】図２０は同じく斜視図である。
【図２１】図２１は同じく平面図である。
【図２２】図２２は同じく側面図である。
【発明を実施するための形態】
【００２１】
以下、図面に従って本発明の実施の最良の形態により、本発明の詳細を説明する。
【００２２】
＜実施形態１＞
本実施形態１は、図１乃至図１５において防護柵２のような支柱３を立設するのに、新設工事を行う場合に最適であり、断面上方に配設される歩車道境界ブロック部１Ｂと、該歩車道境界ブロック部１Ｂの下方に配設される基礎部１Ａとによりコンクリートよりなる基礎ブロック本体１が構成され、前記基礎ブロック本体１の上面には防護柵２の支柱３が挿入可能になる支柱挿入孔４が設けられるとともに、前記基礎ブロック本体１の車道側Ｒに臨む前面下方に垂直面部５が形成され、前記基礎ブロック本体１の後面他側には少なくとも前記歩車道境界ブロック部１Ｂの高さｈ１を除いた下半部に、控側基礎突出部６が水平方向に段差を付けて形成されている。
【００２３】
前記支柱挿入孔４は断面先窄まりに形成される。このように支柱挿入孔４を先窄まりに形成したのは、後述のように、支柱挿入孔４内に挿入される支柱３をセメントモルタルのような接着剤Ｓを流入することにより接着、固定するのに、周囲からの接着剤Ｓによる締め固めにより支柱３を迅速且つ抜け難く構造堅牢に固定するためである。
【００２４】
図１乃至図６、および図７乃至図１２に示すように前記基礎ブロック本体１の左右の側面に突設された載架部であり、この載架部７は、歩車道境界ブロック８,８の端部８ａ,８ａが載置可能に前記控側基礎突出部６と略同高さｈ２に突設されている。
【００２５】
前記基礎ブロック本体１が、図１３乃至図１５に示すように、前記歩車道境界ブロック８Ａ,８Ｂ,８Ｃの長さＬ２,Ｌ３,Ｌ４の略１／２以上〜略同長さＬ１に形成されている。
【００２６】
具体的には、基礎ブロック本体１の長さＬ１は、例えば９９０ｍｍと、１１９０ｍｍの２種がある。また、歩車道境界ブロック８Ａの長さＬ２は、例えば１９９０ｍｍ、また、歩車道境界ブロック８Ｂの長さＬ３は、例えば９９０ｍｍ、歩車道境界ブロック８Ｃの長さＬ４は例えば６００ｍｍである。そして、これらの基礎ブロック本体１と、歩車道境界ブロック８Ａ,８Ｂ,８Ｃとは、前記基礎ブロック本体１が、前記歩車道境界ブロック８Ａ,８Ｂ,８Ｃの長さＬ２,Ｌ３,Ｌ４の略１／２以上〜最長長さのものより僅かに短い長さＬ１に形成されたのは、道路の直線個所、またはカーブ個所に応じて適宜組み合わせにより使用するためであり、基礎ブロック本体１の長さＬ１および歩車道境界ブロック８Ａの長さＬ２を１９９０ｍｍにしたのは、運搬性と移動性とを良好にするとともに、直線における施工性を良好にするためである。また、基礎ブロック本体１の長さＬ１および歩車道境界ブロック８Ｂの長さＬ３を９９０ｍｍ、および歩車道境界ブロック８Ｃの長さＬ４を６００ｍｍにしたのは、運搬性と移動性とを良好にするとともに、直線個所、またはカーブ個所における施工性を良好にするためである。
【００２７】
図１４、および図１５において１０は前記歩車道境界ブロック８Ｂに、必要により歩道側Ｑから車道側Ｒへ排水可能に設けられた水抜き孔であり、この水抜き孔１０は正面楕円形の透孔、または平面台形の切欠溝に形成されることにより、雨が降った場合に、歩道側Ｑに降った雨を水抜き孔１０から車道側Ｒに設けた側溝１１等の排水設備に排水することができる。
【００２８】
例えば図１０および図１１において、１２は前記基礎ブロック本体１に、図７に示されるような吊具１３が取付可能に設けられたインサートであり、このインサート１２は、図１ないし図１５に示すように新設工事を行う場合や図１６乃至２２に示すように既設工事を行う場合に、床堀された所望の設置個所にコンクリートよりなる基礎ブロック本体１を運搬したり、撤去するためのものである。吊具１３としては、例えば図７に示されるようなアイボルトやフックが使用されることにより、吊具１３はインサート１２に着脱可能に取付後に、鎖やワイヤロープを用いて吊上、移動される。
【００２９】
本実施形態１の縁石併用型防護柵の支柱基礎ブロックは以上の構成からなり、断面上方に配設される歩車道境界ブロック部１Ｂと、該歩車道境界ブロック部１Ｂの下方に配設される基礎部１Ａとによりコンクリートよりなる基礎ブロック本体１が構成され、前記基礎ブロック本体１の上面には防護柵２の支柱３が挿入可能になる支柱挿入孔４が設けられるとともに、前記基礎ブロック本体１の車道側Ｒに臨む前面下方に垂直面部５が形成され、前記基礎ブロック本体１の後面他側には少なくとも前記歩車道境界ブロック部１Ｂの高さｈ１を除いた下半部に、控側基礎突出部６が水平方向に段差を付けて形成されているので、防護柵２のような支柱３を立設するのには、新設工事の場合に先ず、図１乃至図６に示すように歩車道境界個所に床堀Ｔを施す。
【００３０】
次いで、基礎ブロック本体１を運搬し、設置個所に据え付ける。この際、現場状況に応じて、基礎ブロック本体１の下面には、図１，図３および図４に示すように基礎材ｋや敷モルタルを敷設する。
【００３１】
そして、歩車道境界個所に施された床堀Ｔに運搬されて据付けられた基礎ブロック本体１の左右に突設された載架部７,７に歩車道境界ブロック８,８を載置するだけで、歩車道境界ブロック部１Ｂと歩車道境界ブロック８,８とを上下方向Ｚ、前後方向Ｙおよび左右方向Ｘに据付け位置を調整して一致させ、設置することができる。
【００３２】
この際、前記基礎ブロック本体１の左右の側面に突設された載架部７,７は、歩車道境界ブロック８,８の端部８ａ,８ａが載置可能に前記控側基礎突出部６と略同高さｈ２に突設されているので、歩車道境界個所に施された床堀Ｔに運搬されて据付けられた基礎ブロック本体１の左右に突設された載架部７,７に歩車道境界ブロック８,８を図５に示すように載置するだけで、歩車道境界ブロック部１Ｂと歩車道境界ブロック８,８とを上下方向Ｚ、前後方向Ｙおよび左右方向Ｘの３方向に据付け位置を調整して容易かつ確実に一致させ、設置することができる（図６参照）。このため、特許文献１に記載された従来のプレキャスト型のコンクリートブロックのように、歩車道の境界のための縁石を止石基礎の上にセメントモルタルのような接着剤により固定されて並設されるのとは異なり、歩車道境界ブロック部１Ｂを有する基礎ブロック本体１と、隣接する歩車道境界ブロック８,８の隣接する相互が上下方向、前後方向、左右方向に自然に位置決めされ、構築後の外観的な不揃いによる不体裁がなくなる。
【００３３】
この時、図１に示すように、基礎ブロック本体１の車道側Ｒの前面に側溝１１のような排水設備や図には示さないが街きょのような構造物がある場合に、基礎ブロック本体１の車道側Ｒに臨む前面下方は、垂直面部５が形成され、特許文献１に記載された従来のプレキャスト型のコンクリートブロックでは、縁石がプレキャストブロック基礎の箱抜き部の前面上部に、地中の切り欠き部に止基礎を介して設置されるのとは異なり、前面が突出して邪魔にはならないので、基礎ブロック本体１は、前記構造物が既に存在していたとしても基礎ブロック本体１の設置個所を変更して移転するような制約を受けて邪魔になることなく、設置されることができるとともに、同時に歩車道境界ブロック部１Ｂに歩車道境界ブロック８,８を並設して設置することができる。
【００３４】
その後、図３および図４に示されるように、床堀Ｔ個所の埋め戻しを行い、その上面を基礎材ｋ′および敷モルタルｍ′により基礎ブロック本体１の左右に突設された載架部７,７に対する高さ調整がされる。そして、図６に示されるように基礎ブロック本体１の歩車道境界ブロック部１Ｂと、隣接する歩車道境界ブロック８,８との間の目地間隙１４をセメントモルタルのような目地材１５を、充填、固定する。
【００３５】
さらに、図８に示されるように、基礎ブロック本体１の上面に設けられた支柱挿入孔４内に支柱３を挿入し、セメントモルタルのような接着剤Ｓを充填、固定し、支柱３を立設し、防護柵２を造作する。このようにして、支柱３の立設作業を終える。
【００３６】
このようにして、歩行者または自転車が路外または車道に転落するのを防止したり、または車路における横断防止等のために、必要に応じて歩行者自転車用柵のような防護柵２の支柱３は立設されるから、片側通行による車両規制期間を短縮し、施工性は向上し、工期が短くなり、工事費は低コストになる。しかも、基礎ブロック本体１に設けられた歩車道境界ブロック部１Ｂに支柱３は立設されるから交通量が激しく、狭い面積しか確保しにくい都市部において歩車道に使用される土地の有効活用がはかれ、有益である。しかも、特許文献１に記載された従来のプレキャスト型のコンクリートブロックのように、上部コンクリート部の取り壊し作業を必要としないから、コンクリートガラのような産業廃棄物は生じないため、その処理に必要な労力と費用は省かれる。
【００３７】
また、前記基礎ブロック本体１の後面他側には少なくとも前記歩車道境界ブロック部１Ｂの高さｈ１を除いた下半部に、控側基礎突出部６が水平方向に段差を付けて形成されているので、施工後には、基礎ブロック本体１は、床掘Ｔ個所に対する設置面積が増大されることにより構造的に安定に設置される。そして、自動車が衝突する等の大きな衝撃力が支柱３に加わったとしても基礎ブロック本体１は傾倒したり、不陸を生するのが防がれ、構造堅牢である。
【００３８】
＜実施形態２＞
図１６乃至図２２は本発明の縁石併用型防護柵の支柱基礎ブロックを示す実施形態２である。この実施形態２は、歩車道境界個所に既に歩車道境界ブロック８,８が敷設されているというような既設工事に改修を施す場合に、最適に適用するものである。そして、本実施形態２では、前記基礎ブロック本体1の左右の側面に、前記歩車道境界ブロック８,８の端面が目地間隙１４,１４を介して衝合わせ可能になる垂直側壁部２０,２０が設けられている構成である。
【００３９】
こうして、本実施形態２では、防護柵２のような支柱３を立設するには、先ず、図１６に示すように、既設工事において、歩車道境界個所に既に敷設されている歩車道境界ブロック８,８に対して、所望ピッチＰ毎に相当する歩車道境界ブロック８を撤去する。次いで、図１７に示すように、歩車道境界個所に施された床堀Ｔに据付けられた基礎ブロック本体１の左右の側面に設けられている垂直側壁部２０,２０と、この垂直側壁部２０,２０に衝合わせられる歩車道境界ブロック８,８の端面との間の目地間隙１４,１４に目地材１５,１５を充填、固化するように、歩車道境界ブロック部1と、歩車道境界ブロック８,８とは接続される。この際、既設工事の場合には、既設の左右の歩車道境界ブロック８,８の上面よりも床堀Ｔの深さを深くし、前述の基礎材ｋ′や敷モルタルｍ′を敷くことにより、基礎ブロック本体１の歩車道境界ブロック部１Ｂの上面と、基礎ブロック本体１の左右に設置されるべき、既に敷設されている歩車道境界ブロック８,８との天面とを一致させて上下方向Ｚを調整するほか、前後方向Ｙおよび左右方向Ｘを調整することにより施工される点が前記実施形態１とは、異なる構成、作用であるほかは、前記実施形態１と同様の構成、作用である。
【００４０】
また、上記実施形態１、および実施形態２においては、防護柵２の支柱３を立設するのに、歩車道境界ブロック部１Ｂを有する基礎ブロック本体１を用いて立設する場合を代表的に説明したが、これに限ることなく、標識の支柱３を立てる場合にも本発明の基礎ブロック本体１を用いることにより容易に立設することができる。
【産業上の利用可能性】
【００４１】
本発明は、土地の有効活用をするのに適し、施工性に優れ、工期は短縮され、工事費を低廉になすという用途・機能に適する。
【符号の説明】
【００４２】
１      基礎ブロック本体
１Ａ    基礎部
１Ｂ    歩車道境界ブロック部
２      防護柵
３      支柱
４      支柱挿入孔
５      垂直面部
６      控側基礎突出部
７      載架部
８      歩車道境界ブロック
８ａ    端部
１０    水抜き孔
１１    側溝
１４    目地間隙
１５    セメントモルタル
２０    垂直側壁部
Ｔ      床堀
Ｘ      左右方向
Ｙ      前後方向
Ｚ      軸方向
【図１】
2013040467.tif 000003
【図２】
2013040467.tif 000004
【図３】
2013040467.tif 000005
【図４】
2013040467.tif 000006
【図５】
2013040467.tif 000007
【図６】
2013040467.tif 000008
【図７】
2013040467.tif 000009
【図８】
2013040467.tif 000010
【図９】
2013040467.tif 000011
【図１０】
2013040467.tif 000012
【図１１】
2013040467.tif 000013
【図１２】
2013040467.tif 000014
【図１３】
2013040467.tif 000015
【図１４】
2013040467.tif 000016
【図１５】
2013040467.tif 000017
【図１６】
2013040467.tif 000018
【図１７】
2013040467.tif 000019
【図１８】
2013040467.tif 000020
【図１９】
2013040467.tif 000021
【図２０】
2013040467.tif 000022
【図２１】
2013040467.tif 000023
【図２２】
2013040467.tif 000024